(57)【要約】【課題】  部品点数が少なく、簡単な構成で、製造コストも削減できる昇降機構を有するゲーム装置を提供する。【解決手段】  景品把持装置を吊り下げ支持する２本のワイヤ１７を用いて景品把持手段を昇降させる昇降機構１５を有するクレーンゲーム機において、  昇降機構１５は、２本のワイヤ１７間にあって昇降用モータ２２の出力軸３０に取り付けた１つのワイヤ巻き取り用のボビン２３を有し、  各ワイヤ１７は、巻き取り側の端部２７がボビン２３の軸方向両端部に接続される。【選択図】        図３
2007061520.tif 000002
【特許請求の範囲】
【請求項１】
景品保持手段を吊り下げ支持する２本のワイヤを用いて前記景品保持手段を昇降させる昇降機構を有するゲーム装置において、
前記昇降機構は、前記２本のワイヤ間にあって昇降用モータの出力軸に取り付けた１つのワイヤ巻き取り用のボビンを有し、
前記各ワイヤは、巻き取り側の端部が前記ボビンの軸方向両端部に接続されることを特徴とするゲーム装置。
【請求項２】
請求項１において、
前記各ワイヤが前記ボビンの両端から中央に向けて巻き取られるように前記ボビンの中心軸を水平方向で傾斜させたことを特徴とするゲーム装置。
【請求項３】
請求項１または２において、
各ワイヤの巻き取り側の端部が前記ボビンの中心軸を通る面において点対称位置に接続されていることを特徴とするゲーム装置。
【発明の詳細な説明】
【技術分野】
【０００１】
本発明は、ゲーム装置に関し、特に景品保持手段を吊り下げ支持する２本のワイヤを用いて前記景品保持手段を昇降させる昇降機構を有するゲーム装置に関する。
【背景技術】
【０００２】
従来、一対の把持アームが両端位置に移動した状態で景品把持装置が筐体の奥側に停止した状態から、景品把持装置を目的の景品位置まで前進させ、一方の把持アームを目的の景品の片側位置に移動させ、他方の把持アームを目的の景品のもう一方の片側位置まで移動させると、把持アームの下降位置が決定して、景品把持装置が下降し、把持アームが適正な位置に下降すると、下降動作が停止して把持アームに把持動作をさせるクレーンゲーム装置がある。
【０００３】
このようなクレーンゲーム装置では、景品把持装置を昇降させる昇降機構が設けられている。
【０００４】
この昇降機構は、景品把持装置を吊り下げ支持する２本のワイヤを用いて景品把持装置を昇降させるようになっている。
【０００５】
具体的には、昇降用モータと、この昇降用モータの出力軸に取り付けたウォームギアと、このウォームギアと噛合するウォームギアを有し水平方向に延びる回転軸と、この回転軸の両端に取り付けた巻き上げプーリとを有し、各巻き上げプーリに２本のワイヤのそれぞれの巻き取り端が接続され、各ワイヤの他端が景品把持装置に接続されるようになっている。
【０００６】
そして、昇降用モータの駆動により回転軸を介して両端の巻き上げプーリが回転し、２本のワイヤを同時に巻き取り、巻き戻すことで、景品把持装置が平衡状態を維持したまま昇降できるようになっている（特許文献１参照）。
【特許文献１】特開２００３−５３０２１号公報
【発明の開示】
【発明が解決しようとする課題】
【０００７】
このようなクレーンゲーム装置における昇降機構においては、昇降用モータの駆動力を各ワイヤに伝達するために、昇降用モータの出力軸に取り付けたウォームギア、このウォームギアと噛合するウォームギアを有する回転軸及び回転軸の両端に取り付けた巻き上げプーリ等が必要となり、部品点数が多く、複雑な構成となり、製造コストも高くなってしまうものである。
【０００８】
本発明の目的は、部品点数が少なく、簡単な構成で、製造コストも削減できる昇降機構を有するゲーム装置を提供することにある。
【課題を解決するための手段】
【０００９】
前記目的を達成するため、本発明のゲーム装置は、景品保持手段を吊り下げ支持する２本のワイヤを用いて前記景品保持手段を昇降させる昇降機構を有するゲーム装置において、
前記昇降機構は、前記２本のワイヤ間にあって昇降用モータの出力軸に取り付けた１つのワイヤ巻き取り用のボビンを有し、
前記各ワイヤは、巻き取り側の端部が前記ボビンの軸方向両端部に接続されることを特徴とする。
【００１０】
本発明によれば、２本のワイヤの各巻き取り側の端部を各ワイヤ間にあって昇降用モータの出力軸に取り付けた１つのボビンの軸方向両端部に接続することにより、１つのボビンで２本のワイヤを巻き取り、巻き戻しができ、部品点数が少なく、構造が簡単で、製造コストも削減することができる。
【００１１】
本発明においては、前記各ワイヤが前記ボビンの両端から中央に向けて巻き取られるように前記ボビンの中心軸を水平方向で傾斜させるようにすることができる。
【００１２】
このような構成とすることにより、各ワイヤがボビンの両端から中央に向けて巻き取られるため、ワイヤがボビンに重なって巻き取られるのを防止することができ、各ワイヤが均等に巻き取られ、景品保持手段を確実に平衡状態を維持したまま昇降させることができる。
【００１３】
本発明においては、各ワイヤの巻き取り側の端部が前記ボビンの中心軸を通る面において点対称位置に接続されるようにすることができる。
【００１４】
このような構成とすることにより、ワイヤの巻き取り開始時から２本のワイヤを確実に均一長さで巻き取ることが可能となる。
【発明を実施するための最良の形態】
【００１５】
以下、本発明の実施の形態を図面を参照して説明する。
【００１６】
図１〜図６は、本発明のゲーム装置の一実施の形態に係るクレーンゲーム装置を示す図である。
【００１７】
図１は、本実施の形態に係るクレーンゲーム装置の全体斜視図で、図２は、景品把持装置の拡大斜視図である。
【００１８】
この実施の形態では、１つの筐体１に２つのクレーンゲーム装置２が左右に設けられたものであるが、１つの筐体１に１つ、あるいは３つ以上のクレーンゲーム装置２を備えたものであってもよい。
【００１９】
図１に示すように、筐体１の下半部には前面の上部にクレーンゲーム装置２の操作ボタン３とコイン投入口５が各々設けられ、前面の下部には景品出口４が各々設けられている。
【００２０】
操作ボタン３は、左側が前進用スイッチＳＷ１，真ん中が左アーム用スイッチＳＷ２、右側が右アーム用スイッチＳＷ３である。
【００２１】
なお、これら左アーム用スイッチＳＷ２、右アーム用スイッチＳＷ３をレバーにすることも可能である。
【００２２】
筐体１の上半部は前面と側面が透明ケース６に覆われていて、左右方向中央部に設けた仕切部７により２つのクレーンゲーム装置２の領域が区画されている。
【００２３】
なお、透明ケース６の側部６ａは、着脱可能に取り付けられ、景品Ｋの出し入れを筐体１の横から行えるようになっている。
【００２４】
透明ケース６内の各床部８には景品Ｋが配置され、この景品Ｋの上方には、操作ボタン３の操作により床部８の景品を２本の把持アーム９により把持する景品把持装置１０が昇降可能に設けられている。
【００２５】
床部８には、景品出口４に連通する落とし口１１が幅方向の全域に開口可能に形成されている。
【００２６】
図２に示すように、景品把持装置１０は、水平方向に設けられたレール１２に左把持アーム９ａと右把持アーム９ｂが移動可能に支持され、これら左把持アーム９ａと右把持アーム９ｂとが接近離反することで、景品を挟持解放するようになっている。
【００２７】
各把持アーム９ａ、９ｂの先端には爪１３が取り付けられている。
【００２８】
なお、レール１２は、カバー１４で覆われた状態となっている。
【００２９】
また、景品把持装置１０は、昇降機構１５により吊り下げ状態で昇降可能に支持され、昇降機構１５は図示せぬが筐体１の奥行き方向に延びる一対の移動レールを備えた移動機構に沿って筐体１の奥行き方向に移動可能に支持されている。
【００３０】
したがって、景品把持装置１０は、把持アーム９の移動方向と交差する方向に移動可能にされ、かつ、昇降可能にされている。
【００３１】
昇降機構１５は、ハウジング１８の幅方向の２箇所の位置から２本の伸縮筒１６が垂下状態で取り付けられ、各伸縮筒１６に内装された２本のワイヤ１７を用いて景品把持装置１０を昇降させるようになっている。
【００３２】
各伸縮筒１６は、下端が景品把持装置１０に接続された状態となっており、景品把持装置１０は、この伸縮筒１６により振れを起こすことなく上下動できるようになっている。      
【００３３】
また、各伸縮筒１６は、図２に示すように、複数の筒部材を伸縮可能に組み合わせたもので、各筒部材はストッパ部材１９とガイド孔２０とが係合して伸張時の落下防止がなされるようになっている。
【００３４】
各ワイヤ１７は、巻き取り側の端部が、図３及び図４に示すように、ハウジング１８内に設置した巻き取り機構２１側に接続され、下端部が、図２に示すように、景品把持装置１０側に接続されて、このワイヤ１７によって景品把持装置１０が吊り下げ支持された状態となっている。
【００３５】
巻き取り機構２１は、昇降用モータ２２と、巻き取り用のボビン２３と、プーリ２４と、テンションプーリ２５と、ガイド２６とを有している。
【００３６】
昇降用モータ２２は、ハウジング１８の２つの伸縮筒１６取付け位置よりも若干奥側に１つ取り付けられ、出力軸３０を伸縮筒１６取付け位置間（２本のワイヤ１７間）側に突出させた状態となっている。
【００３７】
巻き取り用のボビン２３は、２本のワイヤ１７間にあって昇降用モータ２２の出力軸３０に１つ取り付けられた状態となっている。
【００３８】
また、このボビン２３の両側にはフランジ２３ａが配設された状態となっている。
【００３９】
２本のワイヤ１７は、巻き取り側の端部２７がボビン２３の軸方向Ａの両端部に接続されている。
【００４０】
このように、２本のワイヤ１７の各巻き取り側の端部２７を各ワイヤ１７間にあって昇降用モータ２２の出力軸２６に取り付けた１つのボビン２３の軸方向Ａにおける両端部に接続することにより、１つのボビン２３で２本のワイヤ１７を巻き取り、巻き戻しができ、部品点数が少なく、構造が簡単で、製造コストも削減することが可能となる。
【００４１】
また、各ワイヤ１７の巻き取り側の端部２７は、真反対位置に接続した状態となっている。
【００４２】
具体的には、図５に示すように、ボビン２３の中心軸２８を通る面２９において点対称位置、本実施の形態では、一方のワイヤ１７ａの巻き取り側の端部２７ａがボビン２３の一方の端部の上面に接続され、他方のワイヤ１７ｂの巻き取り側の端部２７ｂがボビン２３の他方の端部の下面に接続されている。
【００４３】
このようにすることで、ワイヤ１７の巻き取り開始時から２本のワイヤ１７を確実に均一長さで巻き取ることが可能となる。
【００４４】
さらに、本実施の形態では、各ワイヤ１７がボビン２３の両端から中央に向けて巻き取られるようにボビン２３の中心軸２８を水平方向で傾斜させるようにしている。
【００４５】
図６において二点鎖線によって示す図がワイヤ１７とボビン２３の中心軸２８とが直交するようにように配置した場合で、実線で示した図がボビン２３の中心軸２８を水平方向で傾斜させた場合を示している。
【００４６】
図６に示すように、ワイヤ１７の１本の太さ分だけワイヤ１７をボビンの中央側に寄せるように、ワイヤ１７の太さに相当する角度θ分だけボビン２３の中心軸２８をフランジ２３ａがワイヤ１７と接触する方向に傾斜させた状態となっている。
【００４７】
このようにすることにより、各ワイヤ１７がボビン２３の両端から中央に向けて巻き取られるため、ワイヤ１７がボビン２３に重なって巻き取られるのを防止することができ、各ワイヤ１７が均等に巻き取られ、景品把持装置１０を確実に平衡状態を維持したまま昇降させることが可能となる。
【００４８】
プーリ２４、テンションプーリ２５、ガイド２６は、それぞれ各伸縮筒１６の上方位置に配設され、巻き取り側の端部２７がボビン２３に接続された状態で、各ワイヤ１７がテンションプーリ２５、プーリ２４及びガイド２６を経て、伸縮筒１６内へと導かれるようになっている。
【００４９】
本発明は、前記実施の形態に限定されるものではなく、本発明の要旨の範囲内において種々の形態に変形可能である。
【００５０】
例えば、前記実施の形態において、景品把持装置が把持アームをスライド移動させる場合について説明したが、この例に限らず、把持アームがスライド移動せず開閉動作のみを行う場合でも２本のワイヤにより景品把持装置を昇降させるようなゲーム装置であれば本発明を適用することができる。
【図面の簡単な説明】
【００５１】
【図１】本発明の一実施の形態に係るクレーンゲーム装置の全体斜視図である。
【図２】図１のクレーンゲーム装置における景品把持装置の拡大斜視図である。
【図３】本実施の形態に係る昇降機構における巻き取り機構の拡大平面図である。
【図４】図３の巻き取り機構の正面図である。
【図５】ボビンに対するワイヤの接続状態を示す説明図である。
【図６】ボビンの中心軸の傾斜状態を示す説明図である。
【符号の説明】
【００５２】
２  クレーンゲーム装置
１０  景品把持装置
１５  昇降機構
１６  伸縮筒
１７  ワイヤ
２１  巻き取り機構
２２  昇降用モータ
２３  ボビン
２７  ワイヤの巻き取り側端部
２８  ボビンの中心軸
２９  ボビンの中心軸を通る面
３０  昇降モータの出力軸
【図１】
2007061520.tif 000003
【図２】
2007061520.tif 000004
【図３】
2007061520.tif 000005
【図４】
2007061520.tif 000006
【図５】
2007061520.tif 000007
【図６】
2007061520.tif 000008